(57)【要約】【課題】  必要な換気量を確保しながら、ドアのガタツキ音の発生がないドア枠を提供すること。【解決手段】  建物の壁体の開口部にドア枠１とドア２とが取り付けられてなるドア構造において、ドア戸先側の縦戸当り３１に間欠的に緩衝材４が設けられるとともに、吊元側にも戸当り３２が設けられていて、吊元側のドア枠１２及び戸先側のドア枠１２とドア２との間、吊元側戸当り３２及び戸先側戸当り３１とドア２との間に空気の通導が可能な隙間H１、Ｈ２，Ｈ３，Ｈ４，Ｈ５，Ｈ６，Ｈ１１が設けられている。【選択図】図１
2006152625.tif 000002
【特許請求の範囲】
【請求項１】
建物の壁体の開口部にドア枠とドアとが取り付けられてなるドア構造において、ドアの戸先側の縦戸当りに間欠的に緩衝材が設けられるとともに、吊元側にも戸当りが設けられていて、吊元側のドア枠及び戸先側のドア枠とドアとの間、吊元側戸当り及び戸先側戸当りとドアとの間に空気の通導が可能な隙間が設けられていることを特徴とするドア構造。
【請求項２】
ドア戸先側の縦戸当りとドアとの隙間は１〜６ｍｍであり、ドア吊元側の戸当り及び上枠側の戸当りとドアとの隙間は８ｍｍ以上であり、ドアと上枠、吊元側のドア枠、戸先側のドア枠、床面側との隙間は３〜５ｍｍであることを特徴とする請求項１記載のドア構造。
【請求項３】
緩衝材は軟質系でゴム弾性を有するものであることを特徴とする請求項１又２記載のドア構造。
【発明の詳細な説明】
【技術分野】
【０００１】
本発明は、換気性を備えたドア構造に関する。
【背景技術】
【０００２】
従来、特許文献１には、戸当り又はドア当接面に取り付けられる緩衝材を間欠的に設ける事により、戸当りとドアの間に空気の通導が可能な隙間が設けられたドア枠材が記載されている。また、特許文献２には、ドアと戸当りとの間の隙間を５〜２０ｍｍ離して設ける事により、戸当りとドアとの間の隙間より換気を可能にしたドア枠が記載されている。
【特許文献１】特開平１０−２２０１１８号公報
【特許文献２】特開平１１−１８２１５０号公報
【発明の開示】
【発明が解決しようとする課題】
【０００３】
しかしながら、上記特許文献１に記載の従来技術にあっては、シックハウス対策として必要な換気量を確保するには不十分であるという問題点があった。また、特許文献２に記載の従来技術にあっては、ドアの戸先側と戸当りとの間の隙間が大きいことにより、ガタツキ音が発生してしまうという問題点があった。
【０００４】
本発明は、このような上記の問題点に着目してなされたものであり、必要な換気量を確保しながら、ドアのガタツキ音の発生がないドア構造を提供することにある。
【課題を解決するための手段】
【０００５】
請求項１記載の発明は、建物の壁体の開口部にドア枠とドアとが取り付けられてなるドア構造において、ドア戸先側の縦戸当りに間欠的に緩衝材が設けられるとともに、吊元側にも戸当りが設けられていて、吊元側のドア枠及び戸先側のドア枠とドアとの間、吊元側戸当り及び戸先側戸当りとドアとの間に空気の通導が可能な隙間が設けられていることを特徴とする。
【０００６】
請求項２記載の発明は、請求項１記載のドア構造において、ドア戸先側の縦戸当りとドアとの隙間は１〜６ｍｍであり、ドア吊元側の戸当り及び上枠側の戸当りとドアとの隙間は８ｍｍ以上であり、ドアと上枠、吊元側のドア枠、戸先側のドア枠、床面側との隙間は３〜５ｍｍであることを特徴とする。
【０００７】
請求項３記載の発明は、請求項１又は２記載のドア構造において、緩衝材は軟質系でゴム弾性を有するものであることを特徴とする。
【０００８】
上記ドアの戸当りに設けられる緩衝材は、軟質ＰＶＣ、ウレタン、合成ゴム等のゴム弾性を有する材料が好適に用いられる。
又、この緩衝材はドアの戸当りの上、下両端から２００ｍｍ付近及びラッチ取付部位の３箇所に設けるのが好適である。
この緩衝材の戸当りへの取付けは、接着材（剤）等により行うことができ、緩衝材の寸法は幅１０ｍｍ、長さ１５ｍｍ程度で厚み２ｍｍ程度が好適である。
【発明の効果】
【０００９】
請求項１記載の発明によると、ドア戸先側の縦戸当りに間欠的に緩衝材が設けられるとともに、吊元側にも戸当りが設けられていて、吊元側のドア枠及び戸先側のドア枠とドアとの間、吊元側戸当り及び戸先側戸当りとドアとの間に空気の通導が可能な隙間が設けられているので、外観上見えにくく、ドア部の意匠性を損なうことなくドアを閉めた状態で通気（換気）を行うことができる。また、通気（換気）はドア枠の全周及び戸当りとドアとの隙間を通ってくるので、十分な通気（換気）が得られ、しかも直接人体に風が当たることがなく体感を損なうことがない。
【００１０】
又、ドア戸先側の縦戸当りに間欠的に緩衝材が設けられているので、通気性を損なうことなく、ドア開閉時のバタツキ音を防止することができる。
【００１１】
請求項２記載の発明によると、ドア戸先側の縦戸当りとドアとの隙間は１〜６ｍｍであり、ドア吊元側の戸当り及び上枠側の戸当りとドアとの隙間は８ｍｍ以上であり、ドアと上枠、吊元側のドア枠、戸先側のドア枠、床面側との隙間は３〜５ｍｍであるので、ドア吊元側の戸当り及び上枠側の戸当りとドアとの隙間を大きく開け、ドアと上枠、吊元側のドア枠、戸先側のドア枠、床面側との隙間を小さくすることで、ドアを正面から見た時の隙間は小さいまま、必要な換気量を確保することができる。しかも、外観を損なうことなく、光漏れ等の問題を生じることがない。
【００１２】
請求項３記載の発明によると、緩衝材は軟質系でゴム弾性を有するものであるので、ドアのガタツキ音を確実に抑えることができる。また、長期間にわたって緩衝材としての機能を維持することができる。
【発明を実施するための最良の形態】
【００１３】
以下、本発明の実施の形態を図面を参照して説明する。
図１（ａ）は、本発明のドア構造の一例を示す正面図，（ｂ）は図１（ａ）のＡ−Ａ断面図、（ｃ）は図１（ａ）のＢ−Ｂ断面図である。図２（ａ）は図１（ｂ）のＺ１の方向から見たドア枠に設けられた戸当りの矢視図、（ｂ）は戸当りの断面図、（Ｃ）は図２（ｂ）のＺ２の方向から見た立面図である。
【００１４】
図１（ａ）は、室内で用いられるドア枠１及びドア２からなるドア構造の正面図であり、ドア枠１は上枠１１と縦枠１２，１２とで構成されている。ドア２は上下の丁番８，８によりドア枠１の吊元側の縦枠１２に回動自在に取り付けられている。尚９はドアノブ（レバーハンドル）である。
【００１５】
図１（ｂ）は図１（ａ）のＡ−Ａ断面図であり、ドア枠１のドア吊元側の縦枠１２に戸当り３２、ドア枠１のドア戸先側の縦枠１２に戸当り３１が取り付けられている。吊元側の戸当り３２とドア２との隙間Ｈ１は８．５ｍｍに設定されており、ドア戸先側と戸当り３１とドア２との隙間Ｈ２は３．２５ｍｍに設定されている。また、ドア枠１の縦枠１２とドア２の吊元側の隙間Ｈ３及びドア枠１の縦枠１２とドア２のドア戸先側の隙間Ｈ４は何れも４ｍｍに設定されている。
【００１６】
図１（ｃ）は図１（ａ）のＢ−Ｂ断面図であり、ドア枠１の上枠１１に戸当り３３が設けられている。ドア２とドア枠１の上枠１１に戸当り３３との隙間Ｈ１１は８．５ｍｍに設定されている。また、上枠１１とドア２との隙間Ｈ５及び床面７側とドア２との隙間Ｈ６は何れも４ｍｍに設定されている。尚６は床見切りであり、前記隙間Ｈ６は床見切り６の厚み３ｍｍを除いた隙間Ｈ６である。
【００１７】
本発明の実施例によれば、ドア枠１とドア２と全周に渡って、一定の隙間４ｍｍが設けられ、またドア２と吊元側戸当り３２，ドア戸先側と戸当り３１，上枠１１側戸当り３３との間に隙間が設けられているので、ドアの隙間が戸当り３１，３２で塞がれて外観上見えにくく、ドア部の意匠性を損なうことなくドア２を閉めた状態で通気（換気）を行うことができる。また、通気（換気）はドア枠１の全周及び戸当り３１，３２，３３とドア２との隙間を通ってくるので、十分な通気（換気）が得られ、しかも直接人体に風が当たることがなく体感を損なうことがない。
【００１８】
また、ドア戸先側の縦戸当り３１とドア２との隙間Ｈ２は３．２５ｍｍであり、ドア吊元側の戸当り３２及び上枠１１側の戸当り３３とドア２との隙間Ｈ１，Ｈ１１は８．５ｍｍであるので、ドア吊元側の戸当り３２及び上枠１１側の戸当り３３とドア２との隙間を大きく開けることで、ドア２を正面から見た時の隙間は小さいまま、必要な換気量を確保することができる。しかも、外観を損なうことなく、又床面の隙間も少ないので反射等で光が入ってくる量も少なくなり光漏れ等の問題を生じることがない。
【００１９】
図２（ａ）のドア枠１に設けられた戸当り３１は図２（ｂ）に示すように硬質ＰＶＣ製であり、戸当り３１の３１４面の一方側に軟質ＰＶＣ製の厚さ２ｍｍの緩衝材４が取付られている。そして、戸当り３１は両Ｌ字状３１２，３１２に折り曲げられ弾力性を持たせた嵌め込み側３１３，３１３をドア枠１の凹部に嵌合される。その際嵌め込み側３１３，３１３のギザギザによりしっかりと固定される。尚、５はラッチ受けである。図２（ｃ）の戸当り３１に示すように緩衝材４は３ケ取り付けられ、緩衝材４は幅（Ｈ９）１０ｍｍ×長さ（Ｈ１０）１５ｍｍの大きさで、一番上の緩衝材４は戸当り３１の上端より２０５ｍｍの位置に、真中の緩衝材４は一番上の緩衝材４から９４５ｍｍの位置（図２（ａ）でラッチ受け５の位置）に、一番下の緩衝材４は戸当り３１の下端より２００ｍｍの位置に取り付けられている。
【００２０】
本発明の実施例によれば、ドア２戸先側の縦戸当り３１に間欠的に緩衝材４が設けられているので、通気性を損なうことなく、ドア２開閉時のバタツキ音を防止することができる。
また、緩衝材４は軟質系でゴム弾性を有するものであるので、ドア２のガタツキ音を確実に抑えることができる。また、長期間にわたって緩衝材４としての機能を維持することができる。
【産業上の利用可能性】
【００２１】
本発明のドア枠は構造が簡単であり、十分な換気性能を有するのでシックハウス対策として、ユニット建物に限らず、従来の工法の建物にも好適に用いることができる。
【図面の簡単な説明】
【００２２】
【図１】本発明の一実施形態であって、（ａ）はドア枠及びドアの一例を示す正面図，（ｂ）は図１（ａ）のＡ−Ａ断面図、（ｃ）は図１（ａ）のＢ−Ｂ断面図である。
【図２】（ａ）は図１（ｂ）のＺ１の方向から見たドア枠に設けられた戸当りの矢視図、（ｂ）は戸当りの断面図、（Ｃ）は図２（ｂ）のＺ２の方向から見た立面図である。
【符号の説明】
【００２３】
１                            ドア枠
２                            ドア
３                            戸当り
４                            緩衝材
５                            ラッチ受け
６                            床見切り
７                            床面
８                            丁番
９                            ドアノブ
【図１】
2006152625.tif 000003
【図２】
2006152625.tif 000004